(57)【要約】  【課題】母管図面から三次元データを読み取り、その後、読み取った三次元データに基づき、前記母管形状に沿う形状・構造を有する熱媒トレース管の図面を作成させ、また、母管一体型熱媒トレース管を提供することを目的とする。  【解決手段】船舶の機関室内の燃料油管に熱媒ボイラーから熱の供給を受ける熱媒トレース管の製作加工する方法であって、母管の図面情報から母管の配置構成情報の読み取り、読み取った母管の上記配置構成情報から熱媒トレース管設計情報を決定し、得られた熱媒トレース管の設計情報に基づいて熱媒トレース管を製作加工する方法。【選択図】  図５
2010236695.tif 000002
【特許請求の範囲】
【請求項１】
船舶の機関室内の燃料油管(以下「母管」と称する)に熱媒ボイラーから熱の供給を受ける熱媒トレース管であって、前記熱媒トレース管は、所定口径の鋼管を前記母管に密着して接合され、前記母管の端部フランジ近傍または母管の途中のバルブやフランジ等の突起位置近傍には、該鋼管は、切断され、かつ、前記母管より傾斜して離間して、その端部に接続用フランジが形成された母管一体型熱媒トレース管。
【請求項２】
前記母管一体型熱媒トレース管は、前記母管の途中のバルブやフランジ等の突起位置近傍には、前記突起の大きさに対応して離間する継ぎ手部材を有し、かつ、当該継ぎ手部材は、母管から離れて設けられることを特徴とする請求項１に記載の母管一体型熱媒トレース管。
【請求項３】
前記母管一体型熱媒トレース管において、前記母管の突起位置にその大きさに対応して離間する継ぎ手部材間には、掴み代を考慮したの直線部を有し、直線部両端に前記フランジに接続可能な開放コの字形の継ぎ手部材が接続されることを特徴とする請求項１に記載の母管一体型熱媒トレース管。
【発明の詳細な説明】
【技術分野】
【０００１】
本発明は、船舶の機関室内の燃料油管(以下「母管」と称する。)に施す熱媒ボイラーから熱の供給を受ける母管一体型熱媒トレース管に関する。
【背景技術】
【０００２】
船舶用燃料油としてはＣ重油が広く使用されている。しかし、Ｃ重油は粘性が高いため、船舶用燃料油として使用する場合には、熱を加えて粘性を低くしてからエンジンに供給する必要がある。
この種の燃料輸送管等の配管にスチーム管を沿わせ、該配管を加温し適温に保つことで、輸送燃料（例えば、原油）の固まりを防止するものとして、例えば、スチームトレース装置と称するものが知られている（特開２００６−０４６４７６）。
【０００３】
この特開２００６−０４６４７６号公報に示されるように、当該スチームトレース装置は、蒸気供給弁から後流のスチーム管が２つに分かれ、一方のスチーム管が原油等の燃料を輸送する配管の下流（燃料供給）方向に、他方のスチーム管が配管の上流方向に向かってそれぞれ配管に沿うようにして配置され、配管のそれぞれの該当部位を加温するという２ライン方式のものが一般的であるとされる。
【０００４】
船舶用燃料であるＣ重油の燃料用配管を加熱して粘性を低くしてからエンジンに供給する方法も基本的には、この特開２００６−０４６４７６号公報に示された方法と変わらないが、船舶用燃料であるＣ重油の燃料用配管を加熱するものは、図９に示すように船舶に設けられた蒸気ボイラーから配管されている蒸気管を燃料用Ｃ重油を燃料タンクからエンジン（主機）までに導く燃料輸送管（以下「母管」という）に沿ってトレースし、該母管とトレースした蒸気管(以下「蒸気トレース管」という)の全体を断熱材にて被覆して設置し、該蒸気トレース管に蒸気を供給して、その蒸気の熱によってトレースして配置される該母管に熱を加え、その加えられた熱で前記Ｃ重油の粘性を低くするようにしている。図９は、従来の蒸気トレース管によって母管を加熱するようにした概略を示す図であり、図９において、符号１は、母管、２は枝管、３は断熱材を示し、４は、フランジまたはバルブ等の突起を示し、また、符号１０１は、蒸気トレース管、１０２は、燃料油タンク、１０３は、主機エンジンを示す。
【０００５】
そして、燃料用Ｃ重油を燃料タンクからエンジン（主機）１０３までに導く母管１に沿ってトレースさせる該蒸気トレース管１０１の管材としては専ら銅管が使用されいる。管材として銅管を使用する理由は、銅管は比較的軟らかいため、現場の手作業によって母管１に沿って蒸気トレース管を自在に曲げて沿わせて布設設置することが可能だからであり、そのような作業性のみを考慮して所定長の蒸気トレース管として製作していた。また、母管１へ配設を行なった後に母管１と蒸気トレース管１０１の全体に断熱材３の被覆を施工していた。
【特許文献１】特開２００６−０４６４７６
【発明の開示】
【発明が解決しようとする課題】
【０００６】
しかし、顧客の要求により船舶によっては、熱媒体として油を使用する熱媒ボイラー（図示外）を装備する場合があり、熱媒トレース管の材料として銅を使用した場合には、高温の熱媒油と銅管とが熱反応し熱媒油の劣化を早めるという問題があった。
この問題を解決するためにトレース管の材料を銅管から銅と比較して熱に強い鋼管に変更する必要があった。ところが、鋼管は銅管に比較して硬度が高いため、現場での手作業による曲げ作業が困難となり熱媒トレース管の製作に時間がかかるという問題があった。
【０００７】
また、熱媒トレース管を現場の手作業にて製作するには高度な曲げ技術を要するため、熱媒トレース管の製作には熟練の現場作業者を確保する必要もあった。さらに、工程上、現場での母管を配設した後に熱媒トレース管を製作する必要があるため、現場の工程管理が困難という問題があった。
そこで、本願発明者らは、鋭意工夫を重ねるうちに、前記熱媒トレース管の形状・構造は、母管の口径が決まり、母管の形状が決まれば、あとはその母管の形状に沿った形状で熱媒トレース管を製作すればよいことに鑑み、これをコンピュータで図面化し、その図面に基づいて、陸上の工場施設内で熱媒トレース管を製作すれば、上記の問題は解決することを見いだした。
【０００８】
本件発明は、船舶に設けられる燃料用Ｃ重油を燃料タンクからエンジン（主機）までに導く母管図面から三次元データを読み取り、その後、読み取った三次元データに基づき、前記母管形状に沿う形状・構造を有する熱媒トレース管の図面を作成させ、また、母管一体型熱媒トレース管を提供することを目的とする。
【課題を解決するための手段】
【０００９】
上記目的を達成するために、本願請求項１に係る発明は、船舶の機関室内の燃料油管に熱媒ボイラーから熱の供給を受ける熱媒トレース管であって、前記熱媒トレース管は、所定口径の鋼管を前記母管に密着して接合され、前記母管の端部フランジ近傍または母管の途中のバルブやフランジ等の突起位置近傍には、該鋼管は、切断され、かつ、前記母管より傾斜して離間して、その端部に接続用フランジが形成された母管一体型熱媒トレース管である。
また、本願請求項２に係る発明は、前記請求項１に係る母管一体型熱媒トレース管においては、前記母管一体型熱媒トレース管は、前記母管の途中のバルブやフランジ等の突起位置近傍には、前記突起の大きさに対応して離間する継ぎ手部材を有し、かつ、当該継ぎ手部材は、母管から離れて設けられることを特徴とする。
さらに、本願請求項３に係る発明は、前記請求項１に記載の母管一体型熱媒トレース管において、前記母管一体型熱媒トレース管において、前記母管の突起位置にその大きさに対応して離間する継ぎ手部材間には、掴み代を考慮したの直線部を有し、直線部両端に前記フランジに接続可能な開放コの字形の継ぎ手部材が接続されることを特徴とする。
【発明の効果】
【００１０】
本発明は、上述のとおり構成されているので、次に記載する効果を奏する。
本発明に係る熱媒トレース管は、母管の３次元データに基づいて製作されているので、製作された熱媒トレース管を船舶構築現場に搬入し、現場で、母管の燃料タンク側フランジを起点として、そのまま母管に沿設することができる。
また、一体型熱媒トレース管付き母管としたので、現場で手作業による熱媒トレース管の製作をする必要が無くなり、現場の熱媒トレース管の製作作業時間が大幅に短縮することが可能となる。また、管工場にて熱媒トレース管が製作することができるため、熟練の現場作業者を確保する必要が無くなる。さらに、現場での母管の配設作業と並行して、管工場にて熱媒トレース管をＮＣ機械を用いて製作することが可能なため、現場の作業待ちがなくなり工程管理が容易となり、結局、 現場での製作時間を短縮することができる。
【発明を実施するための最良の形態】
【００１１】
本発明を実施するための最良の形態を一実施例として図面に基づいて説明する。
【実施例１】
【００１２】
本実施例１は、前記熱媒トレース管を陸上の工場施設において製作する方法であって、その方法は、大別すると、第１のステップとして、母管の図面情報から母管の配置構成情報の読み取るステップ（ステップ１）と、第２のステップとして、読み取った母管の上記配置構成情報から熱媒トレース管の設計情報を決定するステップ（ステップ２）と、第３のステップとして、決定して得られた情報に基づいて、熱媒トレース管の製作図面を描くステップ（ステップ３）と、第４のステップとして、描かれた図面と、得られた３次元データをＮＣ機械に入力し、実際に熱媒トレース管を加工・製作するステップ（ステップ４）と、製作された熱媒トレース管を船舶構築現場に搬入し、母管の燃料タンク側フランジを起点位置として、母管に沿って所定の位置へ配設し、その後に母管と熱媒トレース管の全体を断熱材にて被覆を行なうステップ（ステップ５）とからなる。
図１は、本実施例における前記第１のステップを実施するためのものであり、作成される熱媒トレース管図面を作成する基礎となる母管の形状・構造を示す図面である。
図１において、符号１は、母管であり、燃料タンク（図示外）側のフランジＦ1とエンジン（図示外）側のフランジＦ2の間をＣ重油等の燃料を燃料タンク（図示外）から供給するためのものである。なお、符号は従来例に示した部材と同じ部材は同じ符号で示した。
【００１３】
当該母管は、図１から明らかなように、フランジＦ1を起点として、下方に傾斜し、その後、緩やかに曲がり、ついで、他の機関までの燃料供給管を同様に加熱するために枝管２が分岐され、その後所定位置に設けられた第１のバルブ等の突起Ｂ1及び第２のバルブ等の突起Ｂ2を経て、前記燃料タンク（図示外）側のフランジＦ1に連なる構成のものである。また、前記枝管２には、分岐後の所定の位置にバルブ等の突起が設けられている。
このような母管１の形状から読み取られる母管の配置構成情報に基づき決定される熱媒トレース管の３次元データは、後述する熱媒トレース管図面作成の基礎資料となるものである。
【００１４】
本実施例における熱媒トレース管の図面を作成するには、まず、図１に示される形状・構造を有する母管の三次元データを母管の図面データから読み取り、しかる後に、当該母管の下側に当該熱媒トレース管を沿わせる場合の熱媒トレース管製作の図面を作成するというものであり、以下にその図面作成過程及びその後の熱媒トレース管の製作過程、船舶内布設及び設断熱材被覆過程を説明する。
【００１５】
（ステップ１）
母管の図面情報から母管の配置構成情報の読み取り工程
まず、図１に示されるような形状・構造を有する母管の図面情報から、当該母管の配置構成情報（口径・長さ・取付け位置・曲がり位置・フランジ位置・バルブ位置・枝管位置・バルブ面間距離Ｌ）を読み取る。すなわち、具体的には、母管の燃料タンク側フランジ位置を起点として、次の情報を読み取る。
ａ）母管の口径及び燃料タンク側フランジＦ1位置からの３次元に傾斜する傾斜角及び長さのデータを読み取る。
ｂ）母管の曲がり部位置及びその曲がり状態を読み取る。
ｃ）母管から分岐する枝管の位置及び方向・長さ、曲がり位置を読み取る。
ｄ）前記枝管に設けられるバルブＢ3の位置及び大きさを読み取る。
ｅ）母管に設けられる第１のバルブＢ1位置及び大きさを読み取る。
ｆ）母管に設けられる第２のバルブＢ2位置及び大きさを読み取る。
ｇ）母管のエンジン（図示外）側のフランジＦ2までの長さ及び形状を読み取る。
【００１６】
（ステップ２）
次に、読み取った母管の上記配置構成情報から熱媒トレース管の設計情報を決定する工程である。すなわち、読み取った母管の配置構成情報に対して、製作設置する熱媒トレース管を母管のどの位置に配置するかを決定し、その決定に基づいて、前記母管の三次元情報の基づいて、当該母管の配置構成に沿った熱媒トレース管の配置構成情報（口径・長さ・取付け位置・曲がり位置・フランジ位置・バルブ位置・枝管位置）に応じた熱媒トレース管の図面作成のための３次元データを作成する。なお、熱媒トレース管は、熱媒体を管内に流通させて母管を加熱するものであり、常に加熱する必要から、同一形状の往路と復路の管が二本で一組のペアとして構成される。基本的には、同じ形状の管構造で良いものである。
熱媒トレース管の３次元データは、前述の読み取られた母管の配置構成情報に基づき決定され、熱媒トレース管図面作成の基礎資料となるものである。
【００１７】
上述のように、通常は二本の平行する管であるが、図面作成の便宜から一本を基本として作成するものとして実施例を説明する。
次のように決定される。
Ａ）母管の口径に基づいて、母管の燃料タンク側フランジ位置を起点として、熱媒トレース管の曲がり部の個数及びベンダーＲを決定する。
Ｂ）熱媒トレース管の前記曲がり部の個数及びベンダーＲの個数及びその曲がり部が二つある場合の「第１の曲がり部α」、「第２の曲がり部β」）とし、αとβの間の水平長さ「Ａ」を決定する。
【００１８】
具体的には、前記「Ａ］及び「Ｒ］は、図２（ａ）（ｂ）及び図３に示すとおり決定される。すなわち、図２、図３に示すように、母管の口径が３２ｍｍ以下の場合は、曲がり部の数は一つ、「Ａ」の長さは０ｍｍとし（図２（ａ）参照）、母管口径４０ｍｍ以上の場合は、曲がり部を二つ（「第１の曲がり部α」、「第２の曲がり部β」）とし（図２（ｂ）参照）、αとβの間の水平長さ「Ａ」及び曲がり部のベンダーＲは、図２及び図３に示すように決定する。ここに、図２（ａ）は、母管の口径が２０〜３２ｍｍで、曲がりが一つの場合、同（ｂ）は、
母管の口径が４０〜１２５ｍｍで、曲がりが二つある場合の上記α、β間の距離「Ａ］及び各曲がりの曲率「Ｒ］の決定の仕方を示すものである。図３は、そのバリエーションを示している。
【００１９】
Ｃ）前記母管の枝管位置に当該枝管２の方向に沿って伸びる熱媒トレース管分岐管を前記母管枝管に沿って延伸するようにその方向を決定する。分岐方向は、母管枝管の延伸方向であっても良いし、または、分岐直後の枝管２にバルブＢ3が設けられている場合には、枝管の分岐の反対側から分岐させるようにしても良い。
Ｄ）前記母管の前記第１のバルブ位置にベンダーの掴み代を考慮した最小長さを略１２０ｍｍまたは当該バルブのバルブ面間距離Ｌ1と同じ長さで前記母管から７１ｍｍ離間した位置に直線部Ｂ1を決定する。
Ｅ）前記直線部Ｂ1の両端の曲がり部からベンダーの掴み代を考慮した最小水平長さを１３３ｍｍに決定する。
Ｆ）前記母管の前記第２のバルブ位置にベンダーの掴み代を考慮した最小長さを略１２０ｍｍまたは当該バルブのバルブ面間距離Ｌ2と同じ長さで前記母管から７１ｍｍ離間した位置に直線部Ｂ２を決定する。
Ｇ）前記母管に沿って前記母管のエンジン側フランジ位置まで延伸させる。
Ｈ）前記母管の枝管についてバルブＢ3がある場合には、その枝管のバルブ位置にベンダーの掴み代を考慮した最小長さを略１２０ｍｍまたは当該バルブＢ3のバルブ面間距離Ｌ3と同じ長さで前記母管から７１ｍｍ離間した位置に直線部Ｂ3を決定する。
【００２０】
Ｉ）前記母管の枝管についてバルブＢ3がある場合には、さらに、前記直線部Ｂ3の両端の曲がり部からベンダーの掴み代を考慮した最小水平長さを１３３ｍｍに決定する。
Ｊ）前記母管の枝管についてバルブＢ3がある場合には、前記枝管に沿って前記熱媒トレース管分岐管の終端フランジ位置まで延伸させる。
【００２１】
上記のステップＡ）ないしＢ）に示したステップの内容についてさらに詳細に説明する。
製作される熱媒トレース管には、前記母管に沿って曲がりを取るため、前述のような予め決められた曲がり部の配置構成とする。すなわち、基本的には、図２（ａ）（ｂ）に示されるように、製作される熱媒トレース管には、前記母管に沿って曲がりをとるため、一つまたは二つの曲がり部を有して設けられる。図２（ａ）は、母管の口径３２ｍｍ以下の場合に、熱媒トレース管の曲がりをとる場合で、この場合には、曲がり部は一つである。その母管口径によって、ベンダーＲを図２に示すように決定する。同図（ｂ）は、母管の口径４０ｍｍ以上の場合は、曲がり部を二つ（「第１の曲がり部α」、「第２の曲がり部β」）とるようにし、そのαとβの間の水平長さ「Ａ」及びα及びβのベンダーＲは、図２に示すように決定する。このように母管の口径によって熱媒トレース管の曲がり部と曲がり部の水平長さＡを決定することにより、母管の曲がり部に沿った熱媒トレース管とすることが可能となる。
【００２２】
図３は、前記母管の口径に基づいて、母管の燃料タンク側フランジ位置を起点として、熱媒トレース管の曲がり部の個数及びベンダーＲを決定するバリエーションを示すものである。
上記のステップＣ）に示したステップの内容についてさらに詳細に説明する。
上述するように、前記母管１には、他の主発電機関や油清浄機への燃料供給のため、枝管２が設けられる。このため、当該枝管２の位置において、当該枝管２の方向に沿って伸びる熱媒トレース管分岐管１５を前記枝管２に沿って分岐延伸させなければならない。さらに、母管枝管２には、それ自体途中にバルブやフランジ等の突起Ｂ3が設けられることがあり、熱媒トレース管分岐管１５をそのまま直進させることができない場合もある。このような場合には、母管１の枝管２の分岐とは反対方向側から熱媒トレース管分岐管１５を分岐させ、しかる後、１８０度反転させて、前記母管枝管２に沿って分岐延伸させるようにしても良いものである。なお、当該熱媒トレース管分岐管１５も、枝管２を加熱するためには、熱媒体を循環させる必要があり、当該熱媒トレース管分岐管１５は同一形状の二本の管構造からなる。したがって、便宜上、一本についてのみ説明した。
【００２３】
上記のステップＤ）、Ｅ）ないしＦ）、Ｇ）またはＨ）、Ｉ）に示したステップの内容についてさらに詳細に説明する。
また、前述のように、前記母管１や枝管２には、バルブ等の突起物Ｂ3が設けられることがあり、バルブ等の突起物Ｂ3が設けられている際には、そのバルブ等Ｂ3の位置で製作される熱媒トレース管１１を母管１や枝管２あるいはバルブ等Ｂの突起物から所定距離だけ離間させて配置しなければならない。このため、バルブ近傍の熱媒トレース管１１は、上述したように決定される。すなわち、図４に示すように、前記母管の前記バルブ等の位置にベンダーの掴み代を考慮した最小長さを略１２０ｍｍ（もし、当該バルブ等の大きさが１２０ｍｍより大きければ、当該バルブのバルブ面間距離Ｌ1と同じ長さ）で、前記母管から７１ｍｍ離間した位置に直線部Ｂを決定する。ついで、前記直線部Ｂの両端の曲がり部からベンダーの掴み代を考慮した最小水平長さを１３３ｍｍをとり、当該１３３ｍｍ間で当該熱媒トレース管を母管に隣接するように形成する。ここで、図４は、母管１や枝管２にフランジやバルブ等の突起が存在する場合に、その突起を躱して、その突起から熱媒トレース管を所定距離だけ離間させる概略を示す図である。突起を躱した後は、エンジン側の熱媒トレース管を前記母管に沿って前記エンジン側フランジ位置まで延伸させる。
なお、これら熱媒トレース管近傍の直線Ｂの最小長さと曲がり部から曲がり部までの水平長さは、掴み代などベンダーの仕様が異なる場合には、適宜修正データを補充して異なる長さを決定するようにする。
【００２４】
（ステップ３）
上記情報に基づいて、熱媒トレース管の製作図面を描く工程である。
上記で決定された前記熱媒トレース管の配置構成情報に基づいて、媒熱トレース管の製作図面を描く。
上記のように、熱媒トレース管製作の３次元基礎データが決定されたら、それに基づいて、熱媒トレース管の図面を描く。
【００２５】
（ステップ４）
描かれた図面に基づいて「熱媒トレース管」を作成する。
上記のようにして得られた３次元データに基づいて、熱媒トレース管の図面が完成したら、しかる後、陸上の管工場のＮＣ機械に同データを入力し、実際に熱媒トレース管を陸上工場等で加工・製作する。
（ステップ５）
熱媒トレース管が製作されたら、船舶構築現場に搬入し、母管の燃料タンク側フランジを起点位置として、母管に沿って所定の位置へ配設し、その後に母管と熱媒トレース管の全体を断熱材にて被覆を行なう。
図５は、完成した熱媒トレース管１１を前記母管１に沿わせた布設した概念図である。
【実施例２】
【００２６】
本発明者らは、上記実施例１を検討するうちに、前記母管と前記熱媒トレース管を一体に構成した熱媒トレース管付き船舶燃料供給管を案出するに至った。
図６は、本発明の熱媒トレース管付き船舶燃料供給管の一実施例である実施例２を示す概略図面である。図６（ａ）は本実施例２に係る一体型の熱媒トレース管付き船舶燃料供給管の概略図であり、同（ｂ）は、同（ａ）のｘ−ｘ断面における概略断面図を示すものである。
【００２７】
図６（ａ）（ｂ）に示されるように、本実施例２に係る熱媒トレース管付き燃料供給管は、燃料管（以下「母管」という）の工作過程において、所定口径の熱媒トレース管用の鋼管を密着して接合しておくというものであり、母管のバルブ等の設置部分は予め切り離されて形成されるので、熱媒トレース管用の鋼管も当該部分にフランジを設けるようにしている。すなわち、図７に示すように、熱媒トレース管用の鋼管が密着された前記母管において、バルブ等の突起が設けられる位置には、当該母管に所定のフランジを設け、切り離し可能に形成されているので、密着する熱媒トレース管用鋼管においても、これに対応して、この位置に所定の間隔、例えば、前記バルブの大きさに対応して切断・離間され、切断端部は、母管から傾斜して離れ、その両端部には、それぞれ継手部材を設ける。
【００２８】
そして、このバルブ等の位置にベンダーの掴み代を考慮したの直線部ｌを有し、前記フランジに接続可能な開放コの字形の継ぎ手部材を接続する。図７は、母管の突起部における熱媒トレース管用鋼管を母管から離間させて接続可能にすることを示す概略図である。
該開放コの字形継ぎ手部材は、前記直線部ｌとして、前記バルブ等の位置におけるベンダーの掴み代を考慮して、最小長さを略１２０ｍｍ（もし、当該バルブ等の大きさが１２０ｍｍより大きければ、当該バルブのバルブ面間距離Ｌ1と同じ長さ）の直線部ｌとし、さらに、前記直線部ｌの両端には、同様に、ベンダーの掴み代を考慮し、最小水平長さを１３３ｍｍ程度の傾斜部δを設け、前記母管から離反する形状となるように構成される。
【００２９】
図６において、符合１は母管、符号１１は、熱媒トレース管用鋼管、符号２１は、前記母管１から分岐する枝管である。また、図７において、符合１は母管、符号１１は、熱媒トレース管用鋼管を示し、前記母管１は、前記熱媒トレース管用の鋼管１１が密着接合される。また、符号１２は、前記開放コの字形の継ぎ手部材、１３は、該開放コの字形の継ぎ手部材１２の両端に設けられるフランジ、１４は、切断された前記熱媒トレース管用の管の端部に設けられるフランジである。
【００３０】
また、前記枝管２１も本実施例２においては、分岐用の熱媒トレース管１５、１５が密着されて形成される。そして、前記枝管２１にもバルブ等の突起が設けられるので、当該枝管２１に密着する熱媒トレース管用鋼管１５、１５も、その位置において、分岐し、さらに前記バルブ等の突起に対するベンダーの掴み代を考慮した形状としなければならない。そこで、例えば、図８に示すように、分岐熱媒トレース管１５は、下方に密着する熱媒トレース鋼管１１の側部から分岐し、さらに下方に傾斜する形状とし、その傾斜部に前記開放コの字形継ぎ手部材１２が接続されるようにして、当該枝管２１に密着して接合された熱媒トレース管分岐管用鋼管１５を通じて当該枝管２１を加熱するようにする。なお、図８は、母管１の枝管２が存在する場合、その分岐位置において、分岐熱媒トレース管が熱媒トレース鋼管から分岐し、さらに前記開放コの字形継ぎ手部材１２が接続される概略を示す図である。
【００３１】
このように一体型の熱媒トレース管付き船舶燃料供給管１０は、陸上の管工場で製作でき、製作後に船舶構築現場に持ち込んで燃料タンク側フランジを燃料タンクから伸びる母管に接続し、エンジン側フランジを主機エンジンから伸びる母管１にそれぞれ接続し、また、熱媒トレース管１１を熱媒ボイラー（図示外）に接続し、しかる後、全体を断熱材にて被覆を行なえば容易に母管１及び熱媒トレース管１１を布設できる。
【図面の簡単な説明】
【００３２】
【図１】図１は、本実施例における前記第１のステップを実施するためのものであり、作成される熱媒トレース管図面を作成する基礎となる母管の形状・構造を示す図面である。
【図２】図２（ａ）は、母管の口径が２０〜３２ｍｍで、曲がりが一つの場合、同（ｂ）は、母管の口径が４０〜１２５ｍｍで、曲がりが二つある場合の上記曲がりα、曲がりβ間の距離「Ａ］及び各曲がりの曲率「Ｒ］の決定の仕方を示す概略図である。
【図３】母管の口径が２０〜３２ｍｍで、曲がりが一つの場合及び母管の口径が４０〜１２５ｍｍで、曲がりが二つある場合の曲がりα、曲がりβ間の距離「Ａ］及び各曲がりの曲率「Ｒ］のバリエーションを示す図である。
【図４】図４は、母管１や枝管２にフランジやバルブ等の突起が存在する場合に、その突起を躱して、その突起から熱媒トレース管を所定距離だけ離間させる概略を示す図である。
【図５】図５は、完成した熱媒トレース管１１を前記母管１に沿わせた布設した概念図である。
【図６】図６（ａ）は本実施例２に係る一体型の熱媒トレース管付き船舶燃料供給管の概略図であり、同（ｂ）は、同（ａ）のｘ−ｘ断面における概略断面図である。
【図７】図７は、母管の突起部における熱媒トレース管用鋼管を母管から離間させて接続可能にすることを示す概略図である。
【図８】図８は、母管１の枝管２が存在する場合、その分岐位置において、分岐熱媒トレース管が熱媒トレース鋼管から分岐し、さらに前記開放コの字形継ぎ手部材１２が接続される概略を示す図である。
【図９】図９は、従来の蒸気トレース管によって母管を加熱するようにした概略を示す図である。
【符号の説明】
【００３３】
１・・・母管
２・・・枝管
３・・・断熱材
４・・・フランジまたはバルブ等
１１・・・熱媒トレース管用鋼管
１２・・・継ぎ手部材
１３、１４・・・フランジ
１５・・・熱媒トレース管分岐管
２１・・・枝管
１０１・・・蒸気トレース管
１０２・・・燃料油タンク
１０３・・・エンジン（主機）
【図１】
2010236695.tif 000003
【図２】
2010236695.tif 000004
【図３】
2010236695.tif 000005
【図４】
2010236695.tif 000006
【図５】
2010236695.tif 000007
【図６】
2010236695.tif 000008
【図７】
2010236695.tif 000009
【図８】
2010236695.tif 000010
【図９】
2010236695.tif 000011